(57)【要約】      （修正有）【課題】複数のピースを組み合わせて一つの組立体を作るにあたって、創作に専念することが可能な組立式玩具を提供する。【解決手段】板状の本体部４および本体部を囲む第１〜第４の辺部５〜８を有する複数のピース２と、ピースに設けられた永久磁石３とを備える。第１〜第４の辺部は、第１〜第４の凸部３１〜３４と第１〜第３の凹部３５〜３７とを有する。第１〜第４の凸部は、本体部から本体部の厚み方向と直交する方向に突出する。第１〜第３の凹部は、第１〜第４の凸部間に形成され、他のピースの凸部と嵌合する。第１〜第４の凸部と、第１〜第３の凹部の底を含む第１〜第３の外縁部４２〜４４とのうち、二つのピースの辺部どうしを互いに組み合わせた状態で互いに対向する第４の凸部３４と第１の外縁部４２とに磁石収容室４１，５１がそれぞれ形成され、永久磁石は、方向転換が自在となる状態で磁石収容室に収容される。【選択図】図２
0003212952.tif 000002
【実用新案登録請求の範囲】
【請求項１】
板状の本体部およびこの本体部を囲む複数の辺部を有する複数のピースと、
前記ピースに設けられた永久磁石とを備え、
前記辺部は、前記本体部からこの本体部の厚み方向とは直交する方向に突出する複数の凸部と、これらの凸部どうしの間に形成され、他のピースの前記凸部と嵌合する凹部とを有し、
前記凸部と、前記本体部における前記凹部の底を含む外縁部とのうち、二つの前記ピースの前記辺部どうしを互いに組み合わせた状態で互いに対向する前記凸部と前記外縁部とには磁石収容室がそれぞれ形成され、
前記永久磁石は、方向転換が自在となる状態で前記磁石収容室に収容されていることを特徴とする組立式玩具。
【請求項２】
請求項１記載の組立式玩具において、前記凸部の前記磁石収容室は、前記辺部の一端部に位置する凸部に形成され、前記外縁部の前記磁石収容室は、前記辺部の他端部に位置する外縁部に形成されていることを特徴とする組立式玩具。
【請求項３】
請求項１または請求項２記載の組立式玩具において、
前記凸部は、前記本体部の厚み方向とは直交する方向に延びる一対の互いに平行な側壁を有する角柱状に形成され、
前記凹部は、互いに隣り合う２つの凸部の互いに対向する側壁と前記外縁部とによって形成されていることを特徴とする組立式玩具。
【考案の詳細な説明】
【技術分野】
【０００１】
本考案は、ピースどうしが磁気吸引力によって吸着される組立式玩具に関する。
【背景技術】
【０００２】
従来のこの種の組立式玩具としては、例えば特許文献１に記載されているものがある。特許文献１には、永久磁石を有する板状の構造本体部が開示されている。永久磁石は、円柱状に形成され、構造本体部の接続端の内部に接続端と平行になる状態で回転自在に収容されている。この永久磁石のＮ極は径方向の一方に着磁され、Ｓ極は径方向の他方に着磁されている。構造本体部の接続端は、永久磁石の周面に倣って断面半円状に形成されている。
この構造本体部の接続端に他の構造本体部の接続端が突き合わせられると、永久磁石どうしが反発する場合であってもこれらの永久磁石が回転して互いに吸引し合うようになり、構造本体部どうしが磁気によって吸着される。
【先行技術文献】
【特許文献】
【０００３】
【特許文献１】特許第３８２２０６２号公報
【考案の概要】
【考案が解決しようとする課題】
【０００４】
特許文献１に開示された構造本体部の接続端は、断面半円状に形成されている。このため、この接続端と他の構造本体部の接続端との接触は線接触になるから、一方の構造本体部に対して他方の構造本体部が接続端の長手方向にずれ易い。このような構造本体部では、接続端の長手方向において複数の構造本体部を同じ位置に配置することが難しい。この構造本体部を組立式玩具の一つのピースとして用いる場合には、接続端の長手方向の位置を絶えず考慮しなければならないから、創作に専念することができないという問題があった。
【０００５】
本考案の目的は、永久磁石を有する複数のピースを組み合わせて一つの組立体を作るにあたって、創作に専念することが可能な組立式玩具を提供することである。
【課題を解決するための手段】
【０００６】
この目的を達成するために、本考案に係る組立式玩具は、板状の本体部およびこの本体部を囲む複数の辺部を有する複数のピースと、前記ピースに設けられた永久磁石とを備え、前記辺部は、前記本体部からこの本体部の厚み方向とは直交する方向に突出する複数の凸部と、これらの凸部どうしの間に形成され、他のピースの前記凸部と嵌合する凹部とを有し、前記凸部と、前記本体部における前記凹部の底を含む外縁部とのうち、二つの前記ピースの前記辺部どうしを互いに組み合わせた状態で互いに対向する前記凸部と前記外縁部とには磁石収容室がそれぞれ形成され、前記永久磁石は、方向転換が自在となる状態で前記磁石収容室に収容されている。
【０００７】
本考案は、前記組立式玩具において、前記凸部の前記磁石収容室は、前記辺部の一端部に位置する凸部に形成され、前記外縁部の前記磁石収容室は、前記辺部の他端部に位置する外縁部に形成されていてもよい。
【０００８】
本考案は、前記組立式玩具において、前記凸部は、前記本体部の厚み方向とは直交する方向に延びる一対の互いに平行な側壁を有する角柱状に形成され、前記凹部は、互いに隣り合う２つの凸部の互いに対向する側壁と前記外縁部とによって形成されていてもよい。
【考案の効果】
【０００９】
本考案においては、二つのピースの辺部どうしを互いに組み合わせ、磁石が設けられた凸部と、磁石が底の近傍に設けられた凹部とが嵌合することによって、これらの磁石どうしが磁気吸引力によって互いに引き合うようになり、一方のピースに他方のピースが磁気によって吸着される。この吸着状態においては、辺部の長手方向における一方のピースに対する他方のピースの移動が凸部と凹部とによって規制される。
【００１０】
このため、二つのピースどうしを辺部の長手方向にずれることを防ぎながら磁気吸着によって互いに連結することができる。
したがって、この考案によれば、永久磁石を有する複数のピースを組み合わせて一つの組立体を作るにあたって、辺部の長手方向の位置が凸部と凹部とによって決められ、煩わしい位置合わせを行う必要がないから、創作に専念することが可能な組立式玩具を提供することができる。
【図面の簡単な説明】
【００１１】
【図１】本考案に係る組立式玩具の平面図である。
【図２】ピースの平面図である。
【図３】ピースの側面図である。
【図４】図２における一つのピースのIV-IV線断面図である。
【図５】図２におけるV-V線断面図である。
【図６】ピースの第１の半部の内部を示す平面図である。
【図７】ピースの第２の半部の内部を示す平面図である。
【図８】２つのピースを組み合わせた状態を示す平面図である。
【図９】３つのピースを組み合わせた状態を示す斜視図である。
【考案を実施するための形態】
【００１２】
以下、本考案に係る組立式玩具の一実施の形態を図１〜図９を参照して詳細に説明する。
図１に示す組立式玩具１は、使用者（図示せず）が複数の板状のピース２を互いに組み合わせて平面的あるいは立体的な組立体を作って遊ぶ玩具である。図１には３つのピース２が描かれているが、ピース２の個数は適宜変更することができる。この組立式玩具１は、詳細は後述するが、複数のピース２と、これらのピース２にそれぞれ設けられた円柱状の永久磁石３とによって構成されている。
【００１３】
この実施の形態による永久磁石３は、軸線方向の一端がＮ極となり、他端がＳ極となるように着磁されている。なお、永久磁石３は、このような構成のものに限定されることはなく、例えば、径方向の一方がＮ極となるとともに径方向の他方がＳ極になるように着磁された永久磁石を用いることができる。
【００１４】
この実施の形態によるピース２は、図２に示すように、正方形の板状に形成された本体部４と、この本体部４を囲む第１〜第４の辺部５〜８とによって構成されている。
これらの第１〜第４の辺部５〜８の構成は、同一である。これらの第１〜第４の辺部５〜８の詳細な構成は後述する。
【００１５】
また、この実施の形態によるピース２は、図３に示すように、本体部４の厚み方向（図３においては上下方向）に分離する第１の半部１１と第２の半部１２とによって形成されている。これらの第１および第２の半部１１，１２は、それぞれ非磁性材によって所定の形状に形成されている。この実施の形態による第１および第２の半部１１，１２は、プラスチック材料によって形成されている。また、第１および第２の半部１１，１２は、外面を全体的あるいは部分的に塗装したり、外面に絵柄を印刷することも可能である。
【００１６】
第１の半部１１には、図４および図６に示すように、本体部４の厚み方向とは直交する方向（図６においては紙面と平行な方向）に延びる第１の横壁１３と、この第１の横壁１３の外縁に立設された第１の縦壁１４と、第１の横壁１３の４つの隅部と中央部とにそれぞれ設けられた第１の突起１５と、第１の横壁１３の４つの隅部の近傍にそれぞれ設けられたＵ字状の隔壁１６と、これらの隔壁１６とは第１の突起１５を挟んで反対側に位置する仕切壁１７とが設けられている。
【００１７】
第１の突起１５は、先端の中央部から突出するピン１５ａを有している。隔壁１６は、第１の縦壁１４に向けて開放するＵ字状に形成されており、図４に示すように、第１の横壁１３から本体部４の厚み方向に突出している。隔壁１６の突出端は、後述する第２の半部１２の第２の横壁２１に当接している。また、隔壁１６の開放部分は、第１の縦壁１４と、後述する第２の半部１２の第２の縦壁２２とによって閉塞されている。
【００１８】
仕切壁１７は、図４に示すように、第１の半部１１の第１の横壁１３から本体部４の厚み方向に突出している。仕切壁１７の突出端は、後述する第２の半部１２の第２の横壁２１に当接している。この仕切壁１７と上述した隔壁１６の位置は、第１〜第４の辺部５〜８の構成の説明と合わせて後述する。
【００１９】
第２の半部１２には、図７に示すように、本体部４の厚み方向とは直交する方向（図７においては紙面と平行な方向）に延びる第２の横壁２１と、この第２の横壁２１の外縁に立設された第２の縦壁２２と、第２の横壁２１の４つの隅部と中央部とにそれぞれ設けられた第２の突起２３とが設けられている。
【００２０】
第２の突起２３は、先端の中央部に穴２３ａを有している。この穴２３ａは、図５に示すように、第１の突起１５のピン１５ａが嵌合する形状に形成されている。第１の突起１５と第２の突起２３は、ピン１５ａが穴２３ａに嵌合することによって、互いに重なり合う状態で結合される。
【００２１】
本体部４の四隅部と中央部とにおいて、第１の突起１５に第２の突起２３が結合されることにより、第１の半部１１と第２の半部１２とが本体部４の厚み方向とは直交する方向において互いに位置決めされ、第１の縦壁１４と第２の縦壁２２とが互いに接続される。第１の半部１１と第２の半部１２とは、詳細には図示してはいないが、第１の縦壁１４に第２の縦壁２２を溶着することによって、分離することができないように結合されている。
【００２２】
ピース２の第１〜第４の辺部５〜８は、上述したように同一の構成である。このため、ここでは第１の辺部５について説明し、第２〜第４の辺部６〜８の説明は、図面に第１の辺部５と同一の符号を付して省略する。
第１の辺部５は、図２に示すように、本体部４からこの本体部４の厚み方向とは直交する方向（図２においては紙面と直交する方向であって左方）に突出する第１〜第４の凸部３１〜３４と、これらの第１〜第４の凸部３１〜３４どうしの間に形成された第１〜第３の凹部３５〜３７とを有している。
【００２３】
第１〜第４の凸部３１〜３４は、本体部４の厚み方向とは直交する方向に延びる一対の互いに平行な側壁３８，３８を有する角柱状に形成されている。これらの第１〜第４の凸部３１〜３４のうち、第１の辺部５の長手方向の一端部（図２においては上端部）に位置する第４の凸部３４には、凸部側の磁石収容室４１が形成されている。この凸部側の磁石収容室４１には、永久磁石３が収容されている。この磁石収容室４１は、図４の左側の端部に示すように、第１および第２の半部１１，１２の第１および第２の横壁１３，２１と、第１および第２の縦壁１４，２２と、仕切壁１７とによって形成されている。
【００２４】
第１および第２の横壁１３，２１と、第１および第２の縦壁１４，２２とにおける、凸部側の磁石収容室４１を形成する部位は、それぞれ他の部位より薄く形成されている。すなわち、凸部側の磁石収容室４１は、図４に示すように、第１および第２の横壁１３，２１の薄壁部分１３ａ，２１ａと、第１および第２の縦壁１４，２２の薄壁部分１４ａ，２２ａと、仕切壁１７とによって形成されている。
【００２５】
言い換えれば、凸部側の磁石収容室４１とピース２の外とを仕切る壁は、このピース２の他の壁より薄く形成されている。
また、この凸部側の磁石収容室４１は、この磁石収容室４１に収容された永久磁石３が磁石収容室４１内で自由に移動できるように形成されている。すなわち、永久磁石３は、凸部側の磁石収容室４１に方向転換が自在となる状態で収容されている。
【００２６】
第１〜第３の凹部３５〜３７は、図２に示すように、第１〜第４の凸部３１〜３４のうち、互いに隣り合う２つの凸部の互いに対向する側壁３８，３８と、本体部４の一部とによって形成されている。この本体部４の一部とは、本体部４における、第１〜第３の凹部３５〜３７の底を含む第１〜第３の外縁部４２〜４４である。詳述すると、第１の辺部５の他端部に位置する第１の凹部３５は、第１の凸部３１の一方の側壁３８および第２の凸部３２の他方の側壁３８と、第１の外縁部４２とによって形成されている。
【００２７】
第２の凹部３６は、第２の凸部３２の一方の側壁３８および第３の凸部３３の他方の側壁３８と、第２の外縁部とによって形成されている。第３の凹部３７は、第３の凸部３３の一方の側壁３８および第４の突起３４の他方の側壁３８と、第３の外縁部４４とによって形成されている。
第１〜第３の凹部３５〜３７は、図８に示すように、２つのピース２，２を本体部４どうしが段差なく連なるように並べて組み合わせたときに、他のピース２の第２〜第４の凸部３２〜３４と嵌合する。この嵌合部分の状態は、第２〜第４の凸部３２〜３４が第１〜第３の凹部３５〜３７に対して僅かに動くことができるような遊嵌状態である。なお、図８は、嵌合状態が判り易いように、嵌合部の隙間を実際より狭くして描いてある。
【００２８】
２つのピース２の本体部４どうしが段差なく連なるように２つのピース２が組み合わせられた場合は、第２の凸部３２が第３の凹部３７に嵌合し、第３の凸部３３が第２の凹部３６に嵌合する。また、第４の凸部３４が第１の凹部３５に嵌合する。
第１の辺部５の長手方向の他端部（図２においては下端部）に位置する第１の外縁部４２には、図４に示すように、凹部側の磁石収容室５１が形成されている。
【００２９】
この凹部側の磁石収容室５１には、永久磁石３が収容されている。この磁石収容室５１は、第１および第２の半部１１，１２の第１および第２の横壁１３，２１と、第１および第２の縦壁１４，２２と、第１の半部１１の隔壁１６とによって形成されている。第１および第２の横壁１３，２１と、第１および第２の縦壁１４，２２とにおける、凹部側の磁石収容室５１を形成する部位は、それぞれ他の部位より薄く形成されている。
【００３０】
すなわち、凹部側の磁石収容室５１は、第１および第２の横壁１３，２１の薄壁部分１３ｂ，２１ｂと、第１および第２の縦壁１４，２２の薄壁部分１４ｂ，２２ｂと、隔壁１６とによって形成されている。言い換えれば、凹部側の磁石収容室５１とピース２の外とを仕切る壁は、このピース２の他の壁より薄く形成されている。
また、この凹部側の磁石収容室５１は、この磁石収容室５１に収容された永久磁石３が磁石収容室５１内で自由に移動できるように形成されている。すなわち、永久磁石３は、凹部側の磁石収容室５１に方向転換が自在となる状態で収容されている。
【００３１】
この実施の形態においては、第１〜第４の凸部３１〜３４と、第１〜第３の外縁部４２〜４４とのうち、２つのピース２の辺部５〜８どうしを互いに組み合わせた状態で互いに対向する第４の凸部３４と、第１の外縁部４２とに、それぞれ磁石収容室４１，５１が形成されることになる。
【００３２】
このように構成された組立式玩具１においては、複数のピース２を組み合わせて平面的あるいは立体的に並べ、所望の形状の物品を作って遊ぶことができる。複数のピース２を組み合わせるときは、二つのピース２の辺部５〜８どうしを互いに組み合わせたり、２つのピース２を厚み方向に重ねて行う。辺部５〜８どうしを互いに組み合わせるにあたっては、本体部４どうしが段差なく並ぶように、一方のピース２の複数の凸部３１〜３４を他方のピース２の複数の凹部３５〜３７に嵌合させる。
【００３３】
このときは、図８に示すように、一方のピース２の第４の凸部３４が他方のピース２の第１の凹部３５に嵌合する。第４の凸部３４の磁石収容室４１と、第１の凹部３５の底を含む第１の外縁部４２内の磁石収容室５１とには、それぞれ永久磁石３が収容されている。これらの永久磁石３は、第４の凸部３４が第１の凹部３５に嵌合することによって、Ｓ極とＮ極とが向き合うように磁石収容室４１，５１内で回転したりスライドしたりして磁気吸引力で互いに引き合うようになる。このため、２つのピース２が互いに組み合わせたられた状態で、一方のピース２に他方のピース２が磁気によって吸着される。
【００３４】
この吸着状態においては、２つのピース２が磁気吸引力で連結され、一方のピース２を持ち上げたとしても、他方のピース２が重量で落ちることはない。また、この吸着状態では、２つのピース２どうしを接続している第１〜第４の辺部５〜８の長手方向において、一方のピース２に対して他方のピース２を移動させることはできない。すなわち、第１〜第４の辺部５〜８の長手方向における一方のピース２に対する他方のピース２の移動が凸部３１〜３４と凹部３５〜３７とによって規制される。
【００３５】
このため、二つのピース２どうしを第１〜第５の辺部５〜８の長手方向にずれることを防ぎながら磁気吸着によって互いに連結することができる。
したがって、この組立式玩具１によれば、永久磁石３を有する複数のピース２を組み合わせて一つの組立体を作るにあたって、第１〜第４の辺部５〜８の長手方向の位置が第１〜第４の凸部３１〜３４と第１〜第３の凹部３５〜３７とによって決められ、煩わしい位置合わせを行う必要がないから、創作に専念することが可能になる。
【００３６】
この実施の形態による凸部の磁石収容室４１は、第１〜第４の辺部５〜８の一端部に位置する第４の凸部３４に形成されている。また、外縁部の磁石収容室５１は、第１〜第５の辺部５〜８の他端部に位置する外縁部第１の外縁部４２に形成されている。
このため、二つのピース２の第１〜第４の辺部５〜８どうしを互いに組み合わせることによって、これらの第１〜第４の辺部５〜８の両端部で永久磁石３どうしが吸引し合うから、二つのピース２が強固に連結される。したがって、複数のピース２を組み合わせる過程でピース２どうしの連結部分が外れることがないから、より一層創作が容易な組立式玩具を提供することができる。
【００３７】
この実施の形態による第１〜第４の凸部３１〜３４は、本体部４の厚み方向とは直交する方向に延びる一対の互いに平行な側壁３８を有する角柱状に形成されている。第１〜第３の凹部３５〜３７は、互いに隣り合う２つの凸部の互いに対向する側壁３８と第１〜第３の外縁部４２〜４４とによって形成されている。
このため、角柱状の第１〜第４の凸部３１〜３４が第１〜第３の凹部３５〜３７に嵌合するから、二つのピース２を図９に示すように直角に交わるように連結する場合に、第１〜第４の凸部３１〜３４と第１〜第３の凹部３５〜３７とが互いに面接触の状態で接するようになる。このため、第１〜第４の凸部３１〜３４と第１〜第３の凹部３５〜３７との嵌合状態が強固に保たれるから、一方のピース２に対して他方のピース２が起立する状態で手を離したとしても、他方のピース２が倒れるようなことはない。
したがって、この実施の形態によれば、立体的な組立体を簡単に作ることが可能な組立式玩具を提供することができる。
【００３８】
この実施の形態によるピース２は、磁石収容室４１，５１の外壁部分（薄壁部分１３ａ，１３ｂ，１４ａ，１４ｂ，２１ａ，２１ｂ，２２ａ，２２ｂ）が相対的に薄く形成されている。このため、この外壁部分の磁気抵抗が小さくなるから、２つのピース２を磁気吸引力によって強固に連結することができる。
【００３９】
上述した実施の形態においては、第１〜第４の凸部３１〜３４の平面形状が四角形である例を示した。しかし、第１〜第４の凸部３１〜３４と第１〜第３の凹部３５〜３７の平面形状は、このような限定にとらわれることはなく、適宜変更することができる。例えば、第１〜第４の凸部３１〜３４の平面形状を三角形の山形状とすることができ、第１〜第３の凹部３５〜３７の平面形状を山形状の凸部が嵌合する谷形状とすることができる。
また、この実施の形態においては、本体部４の平面形状が正方形状である例を示した。しかし、本体部４の平面形状は、このような限定にとらわれることはなく、適宜変更するができる。例えば、本体部４の平面形状を三角形や五角形などとすることができる。
【符号の説明】
【００４０】
１…組立式玩具、２…ピース、３…永久磁石、４…本体部、５〜８…第１〜第４の辺部、３１〜３４…第１〜第４の凸部、３５〜３７…第１〜第３の凹部、３８…側壁、４１…凸部側の磁石収容室、４２〜４４…第１〜第３の外縁部、５１…凹部側の磁石収容室。
【図１】
0003212952.tif 000003
【図２】
0003212952.tif 000004
【図３】
0003212952.tif 000005
【図４】
0003212952.tif 000006
【図５】
0003212952.tif 000007
【図６】
0003212952.tif 000008
【図７】
0003212952.tif 000009
【図８】
0003212952.tif 000010
【図９】
0003212952.tif 000011